(57)【要約】【課題】プリンタによって発行されるレシートやクレジット伝票を安全に保管できるようにする。【解決手段】商品データを処理する商品データ処理部と、前記商品データ処理装置に接続され、商品データ処理部が処理した取引データを印刷する印刷部と、現金を収納する現金収納部と、前記商品データ処理部の商品データ処理に伴い前記現金収納部を開放する開放手段と、伝票収納部３と、前記商品データ処理部の商品データ処理に伴い前記印刷部から商品データが印字されたことを受け、前記伝票収納部３を開放する開放手段とを有する。【選択図】図２
2012048495.tif 000002
【特許請求の範囲】
【請求項１】
商品データを処理する商品データ処理部と、
前記商品データ処理装置に接続され、商品データ処理部が処理した取引データを印刷する印刷部と、
現金を収納する現金収納部と、
前記商品データ処理部の商品データ処理に伴い前記現金収納部を開放する開放手段と、
伝票収納部と、
前記商品データ処理部の商品データ処理に伴い前記印刷部から商品データが印字されたことを受け、前記伝票収納部を開放する開放手段と、
を有することを特徴とする商品データ処理装置。
【請求項２】
前記伝票収納部は、筐体と、この筐体内に出入自在に設けられ伝票を収納する引出部とを有することを特徴とする請求項１記載の商品データ処理装置。
【請求項３】
前記引出部は、前記開放手段による開放に基づいて自動的に引き出されることを特徴とする請求項１記載の商品データ処理装置。
【請求項４】
カード情報を読み取るカードリーダと、
決済金額を入力する決済金額入力手段と、
前記カードリーダの読取情報に基づいて前記決済金額入力手段により入力された金額を決済処理する決済処理部と、
この決済処理部で決済された決済データを印刷する印刷部と、
伝票を収納する伝票収納部と、
前記決済処理部の決済処理に基づいて前記印刷部から決済データが印字されたことを受け、前記伝票収納部を開放する開放手段と
を具備することを特徴とする決済端末。
【請求項５】
前記引出部は、その内部が仕切体によって少なくとも２以上の収納部に仕切られ、これら収納部内に前記伝票を区分して収納することを特徴とする請求項４記載の決済端末。
【請求項６】
前記伝票は、店舗控え用伝票及びクレジット会社控え用伝票で、
前記収納部は、前記店舗控え用伝票及び前記クレジット会社控え用伝票の幅寸法よりも広い幅寸法を有することを特徴とする請求項５記載の決済端末。
【発明の詳細な説明】
【技術分野】
【０００１】
本発明の実施形態は、商品の取引データをプリンタで印刷してレシートやクレジット決済に関する伝票を発行する商品データ処理装置、及び決済端末に関する。
【背景技術】
【０００２】
従来、スーパーマーケットやコンビニエンスストアなどの商品販売店舗では、ＰＯＳ端末などの商品販売データ処理装置が会計処理に用いられている。前記ＰＯＳ端末は、処理内容を表示するディスプレイ、置数キーなどを配置したキーボード、商品に付されたバーコードを読み取るためのスキャナ、クレジットカードやポイントカードなどに記憶された情報を読み取るためのカードリーダおよびレシートやクレジット伝票を発行するためのプリンタなどを備えている。上記スキャナ、カードリーダおよびプリンタなどは、前記ＰＯＳ端末の本体に内蔵されずに外付けされる場合もある。
【０００３】
商品の販売処理に際しては、上記スキャナにより商品に付されたバーコードから商品コードを読み取り、この商品コードに基づいて商品マスタから商品価格などの商品データを取得して、販売データとして登録する。このようにして登録された商品データに基づいて取引の合計金額を算出し、会計処理が行われる。このとき、代金の支払方法には現金決済とカード決済とがあり、現金決済の場合には、会計処理の完了とともに取引内容を印字したレシートが上記プリンタから発行される。
【０００４】
一方、カード決済の場合には、取引内容を印字したレシートが発行され、店舗控え用伝票、クレジット会社控え用伝票、客控え用伝票が発行される。
【先行技術文献】
【特許文献】
【０００５】
【特許文献１】特開２０１０−４４５６８号公報
【発明の概要】
【発明が解決しようとする課題】
【０００６】
ところで、上記した店舗控え用伝票、クレジット会社控え用伝票は店が一定期間保管しなくてはならず、紛失の危険がある。
【０００７】
しかしながら、従来においては、多くの場合、店舗控え用伝票、クレジット会社控え用伝票を袋などに収納していたため、セキュリティ上問題があった。
【０００８】
また、前記レシートは、発行されても受け取らない人が多く、従来においては、基台部から突出したピンにレシートを突き刺して使用するレシートホルダーなどの事務用品を用いて一時的に保管していた。
【０００９】
しかしながら、上記レシートホルダーが備えるピンに上記レシートを突き刺す場合には、怪我の恐れがあった。
【課題を解決するための手段】
【００１０】
上記の課題を解決するために、実施の形態は、商品データを処理する商品データ処理部と、前記商品データ処理装置に接続され、商品データ処理部が処理した取引データを印刷する印刷部と、現金を収納する現金収納部と、前記商品データ処理部の商品データ処理に伴い前記現金収納部を開放する開放手段と、伝票収納部と、前記商品データ処理部の商品データ処理に伴い前記印刷部から商品データが印字されたことを受け、前記伝票収納部を開放する開放手段とを有することを特徴とする。
【図面の簡単な説明】
【００１１】
【図１】第１の実施の形態である商品データ処理装置を示すブロック図。
【図２】図１の保管庫を示す斜視図。
【図３】図２の保管庫のロック機構の駆動制御系を示すブロック図。
【図４】図１のプリンタの制御回路を示すブロック図。
【図５】図１のＰＯＳ端末の制御回路を示すブロック図。
【図６】図１のＰＯＳ端末のＣＰＵが実行する会計処理を示す図。
【図７】図１のプリンタのＣＰＵが実行する処理を示す図。
【図８】図１のプリンタが発行する店舗控え用伝票を示す図。
【図９】図１の保管庫の変形例を示す斜視図。
【図１０】第２の実施の形態である決済端末を示すブロック図。
【発明を実施するための形態】
【００１２】
以下、実施の形態を図面を参照して詳細に説明する。
【００１３】
（第１の実施の形態）
なお、本実施の形態では商品データ処理装置の一例としてＰＯＳ端末を例に説明する。
【００１４】
図１は、商品データ処理装置を示すもので、商品データ処理装置は、商品データ処理部としてのＰＯＳ端末１と、このＰＯＳ端末１との間の通信に基づいて印刷媒体を発行するプリンタ（印刷部）２と、このプリンタ２によって発行されたレシートや店舗控え用伝票、クレジット会社控え用伝票を保管する伝票収納部としての保管庫３とによって構成されている。
【００１５】
図２は、前記保管庫３を示す斜視図である。
【００１６】
この保管庫３は筐体４を備え、この筐体４内には引出部としての引出トレイ５が出入自在に設けられている。前記引出トレイ５の幅寸法は、レシートや店舗控え用伝票、クレジット会社控え用伝票の幅寸法（５８ｍｍ）に合わされている。前記引出トレイ５の内部には、収納されるレシートや店舗控え用伝票、クレジット会社控え用伝票を押し付けて保持する保持レバー７が配設されている。
【００１７】
前記引出トレイ５にはロック機構（図３に示す）１１が設けられ、その鍵穴１１ａが前記引出トレイ５の前面部に設けられている。前記引出トレイ５は鍵穴１１ａ内にキーが差し込まれて操作されることにより前記筐体４にロックされるようになっている。
【００１８】
また、前記筐体４には図３に示すように、前記ロック機構１１を開錠するための開放手段としてのソレノイド１２が設けられている。前記ソレノイド１２は後述するようにプリンタ２でレシートや店舗控え用伝票、客控え用伝票、クレジット会社控え用伝票が発行されるのに基づいて励磁され、前記ロック機構１１を開錠するようになっている。前記ソレノイド１２は、前記ＰＯＳ端末１にＬＡＮケーブル１３及び駆動コントローラ１６を介して接続されている。
【００１９】
なお、前記引出トレイ５は、前記ロック機構１１が開錠されることにより図示しない引出機構によって自動的に引き出されて開けられるようになっている。
【００２０】
図４は、プリンタ２の制御回路を示すブロック図である。
【００２１】
前記プリンタ２の制御回路は、メインの制御手段としてＣＰＵ２０を備え、このＣＰＵ２０に各種制御プログラムなどの固定的データを記憶したＲＯＭ（Read Only Memory）２１、処理場面に応じた各種のメモリエリアを形成するＲＡＭ（Random Access Memory）２２、パラレルインターフェイス（Ｉ／Ｆ）２３、サーマルヘッドコントローラ２４および駆動コントローラ２５をアドレスバスやデータバスなどのバスライン２６で接続して構成されている。
【００２２】
パラレルインターフェイス２３は、ＬＡＮ（Local Area Network）ケーブル２７を接続し、前記ＰＯＳ端末１との通信を司る。前記サーマルヘッドコントローラ２４は、サーマルヘッド９を接続し、前記サーマルヘッド９への通電を制御する。
【００２３】
レシートや、店舗控え用伝票、客控え用伝票、クレジット会社控え用伝票の発行に際しては、先ず前記ＬＡＮケーブル２７を介して前記パラレルインターフェイス２３が前記ＰＯＳ端末１から受信した取引内容に関する印字データが前記ＲＡＭ２２に展開処理される。そして、前記駆動コントローラ２５が搬送モータ２８の回転駆動を制御してレシート用紙を搬送するとともに、上記展開処理したデータに基づいて前記サーマルヘッドコントローラ２４が前記サーマルヘッド９への通電を制御する。このとき、前記サーマルヘッド９の発熱に応じて感熱紙であるレシート用紙に上記展開処理したデータに基づく写像が形成される。
【００２４】
図５は、前記ＰＯＳ端末１の制御回路を示すブロック図である。
【００２５】
前記ＰＯＳ端末１の制御回路は、メインの制御手段としてＣＰＵ３１を備え、このＣＰＵ３１に各種制御プログラムなどの固定的データを記憶したＲＯＭ３２、処理場面に応じた各種のメモリエリアを形成するＲＡＭ３３、パラレルインターフェイス（Ｉ／Ｆ）３４、キーボードコントローラ３５、ディスプレイコントローラ３６、カードリーダコントローラ３７およびスキャナインターフェイス（Ｉ／Ｆ）３８、開放手段４５、外部インターフェイス（Ｉ／Ｆ）１５をアドレスバスやデータバスなどのバスライン３９で接続して構成されている。
【００２６】
前記パラレルインターフェイス３４は、ＬＡＮケーブル４０を接続し、前記プリンタ２との通信を司り、外部インターフェイス（Ｉ／Ｆ）１５は、前記ＬＡＮケーブル１３を接続し、前記保管庫３との通信を司る。
【００２７】
前記キーボードコントローラ３５は、キーボード４１を接続し、このキーボード４１に設けられた各種操作キーの操作による入力信号を処理する。前記ディスプレイコントローラ３６は、ディスプレイ４２を接続し、このディスプレイ４２の画面表示を制御する。前記カードリーダコントローラ３７は、カードリーダ４３を接続し、このカードリーダ４３にスライドされたクレジットカードやキャッシュカードなどの磁気カードに記憶されたデータを読み取る。前記スキャナインターフェイス３８は、スキャナ４４を接続し、このスキャナ４４を制御して商品に付されたバーコードを読み取る。前記開放手段４５は、現金収納部としてのドロワ４６を開放させるものである。
【００２８】
次に、上記のような構成による作用について説明する。
【００２９】
図６は、取引の会計処理にて前記ＰＯＳ端末１の前記ＣＰＵ３１が実行する処理の流れ図である。この処理は、前記ＲＯＭ３２に記憶された制御プログラムに基づいて実行される。
【００３０】
先ず、前記ＣＰＵ３１は、ＳＴ１０１として前記スキャナ４４による商品に付されたバーコードの読み取りや前記キーボード４１からの操作入力による商品データの登録を受け付ける。客が買い上げる商品の登録が完了したときには、キャッシャが前記キーボード４１に設けられた小計キーを操作する。そして、この小計キーが操作されたときには、ＳＴ１０２として当該取引の決済方法がカード決済であるか否かを判断する。
【００３１】
具体的には、前記キーボード４１に設けられたカード決済選択用の操作キーが操作されたときにはカード決済であると判断し、操作されていないときにはカード決済ではなく現金決済であると判断する。
【００３２】
なお、カード決済である場合には、前記カードリーダ４３によりクレジットカードなどの読み取りを受け付け、読み取ったデータはＲＡＭ３３に記憶される。
【００３３】
ＳＴ１０２の処理にて当該取引の決済方法がカード決済であると判断されたときには（ＳＴ１０２のＹｅｓ）、ＳＴ１０３として当該取引のカード決済処理を行う。
【００３４】
具体的には、前記カードリーダ４３により読み取ったカードの情報から、サーバにアクセスし、当該取引の取引内容を送信するなどの処理を行う。しかる後、ＳＴ１０４として前記プリンタ２に当該取引の取引内容に関する印字データとともに、店舗控え用伝票、客控え用伝票、クレジット会社控え用伝票の発行指示を送信して当該会計処理を終了する。
【００３５】
一方、ＳＴ１０２の処理にて当該取引の決済方法がカード決済でないと判断されたときには（ＳＴ１０２のＮｏ）、ＳＴ１０５として現金決済処理を行う。具体的には、前記キーボード４１により客からの預かり金額の入力を受け付け、入力された預り金額と代金とに基づいて釣銭額を算出してドロワ４６を開放する。しかる後、ＳＴ１０６として前記プリンタ２に当該取引の取引内容に関する印字データを送信して当該会計処理を終了する。
【００３６】
続いて、ＳＴ１０４またはＳＴ１０６の処理にて前記ＰＯＳ端末１から送信された取引内容に関する印字データを受信した際に前記プリンタ２の前記ＣＰＵ２０が実行するレシート及び店舗控え用伝票、客控え用伝票、クレジット会社控え用伝票の発行処理の流れについて説明する。
【００３７】
図７は、前記プリンタ２の前記ＣＰＵ２０が実行する上記発行処理の流れ図である。この処理は、ＲＯＭ２１に記憶された制御プログラムに基づいて実行される。
【００３８】
先ず、前記ＣＰＵ２０は、ＳＴ２０１として受信した取引内容に関する印字データをＲＡＭ２２に展開処理し、前記ＲＡＭ２２に展開処理したデータに基づいて前記サーマルヘッドコントローラ２４にサーマルヘッド９への通電を制御させて、レシートを印字する。
【００３９】
かくしてレシートを印字し終えた後、ＳＴ２０２としてＲＯＭ２１に予め記憶されたレシートのヘッダ部分の印字データを前記ＲＡＭ３３に展開処理し、展開処理したデータに基づいて次回発行するレシートのヘッダ部分を印字する。ヘッダ部分の印字が完了したときには、ＳＴ２０３として店舗控え用伝票、客控え用伝票、クレジット会社控え用伝票の発行指示を前記ＰＯＳ端末１から受信したか否かを判断する。客控え用伝票、客控え用伝票、クレジット会社控え用伝票の発行指示を前記ＰＯＳ端末１から受信している場合には、ＳＴ２０５として駆動コントローラ２５に用紙カッタ１０を駆動制御させレシート用紙を裁断する。
【００４０】
次に、前記ＣＰＵ２０は、ＳＴ２０７として当該取引の店舗控え用伝票の印字データを作成して前記ＲＡＭ２２に展開処理し、展開処理したデータに基づいて店舗控え用伝票を印字する。
【００４１】
続いて、ＳＴ２０８として上記ＳＴ２０２の処理と同様に次回発行するレシートのヘッダ部分を印字する。そして、ＳＴ２０９として前記駆動コントローラ２５に用紙カッタ１０を駆動制御させレシート用紙を裁断する。
【００４２】
このように店舗控え用伝票を発行した後、ＳＴ２１０として当該取引のクレジット会社控え用伝票の印字データを作成して前記ＲＡＭ２２に展開処理し、展開処理したデータに基づいてクレジット会社控え用伝票を印字する。
【００４３】
続いて、ＳＴ２１１として上記ＳＴ２０２およびＳＴ２０８の処理と同様に次回発行するレシートのヘッダ部分を印字する。そして、ＳＴ２１２として前記駆動コントローラ２５に用紙カッタ１０を駆動制御させレシート用紙を裁断する。クレジット会社控え用伝票が発行されたのちは、客控え用伝票が発行される。
【００４４】
図８は、上記伝票発行処理にて印字された店舗控え用伝票１４の一例を示す模式図である。当該店舗控え用伝票１４には、ＳＴ２０２の処理にて印字されたヘッダ部分１４ａの下方にＳＴ２０７の処理にて取引の日付、レジナンバ、買上商品名、商品価格、合計金額、署名欄、取引ナンバおよび取引時刻などが印字される。
【００４５】
ところで、上記したようにレシート、店舗控え用伝票１４、クレジット会社控え用伝票,客控え用伝票の印字が終了すると、前記ＰＯＳ端末１から前記保管庫３にロック解除信号を送信され、図３に示す駆動コントローラ１６により前記ソレノイド１２が励磁されて前記ロック機構１１が開錠される。この開錠により図２に示すように、前記保管庫３内の前記引出トレイ５が引出機構により自動的に引き出されて開放される。
【００４６】
発行されたレシートは顧客に渡されるが、このとき、レシートを受け取らなかったり、受け取ってもその場に放置する顧客が多い。
【００４７】
このような場合には、キャッシャは、図２に示すように、引き出された引出トレイ５内に上記した受け取られなかったレシート１７や放置されたレシート１７を収納し、保持レバー７で保持したのち、保管庫３内に保管する。
【００４８】
この実施に形態によれば、上記した受け取られなかったレシート１７や放置されたレシート１７を保管庫３内に保管するため、従来のように、基台部から突出したピンにレシートを突き刺して保管する場合のように怪我する虞なく保管することが可能となる。
【００４９】
なお、保管庫３内には、上記したレシート１７のみならず、発行された前記店舗控え用伝票１４、及びクレジット会社控え用伝票をも一緒に前記引出トレイ５内に収納して保管し、施錠するようにしても良い。
【００５０】
この場合には、従来のように、クレジット伝票をビニール袋などに収納する場合と比較してセキュリティ性を向上することができる。
【００５１】
また、前記保管庫３の前記引出トレイ５は自動的に開錠されて外部に引き出されるため、キャッシャによる前記引出トレイ５のロック解除及び引出作業を特別に必要とすることがなく、作業性を向上することができる。
【００５２】
なお、この実施の形態では、レシート１７、店舗控え用伝票１４、クレジット会社控え用伝票、客控え用伝票の印字終了に基づいて保管庫３のロックを解除し、前記引出トレイ５を自動的に引き出すようにしたが、これに限られることなく、キーボード４１の各種操作キーをマニュアル操作することにより、保管庫３にロック解除信号を送信して保管庫３のロックを解除して前記引出トレイ５を引き出すようにしてもよい。
【００５３】
図９は他の例である保管庫５１を示す斜視図である。
【００５４】
上記した保管庫３は幅狭に構成され、引出トレイ５にはレシート１７のみ、或いはレシート１７とともに店舗控え用伝票１４及びクレジット会社控え用伝票を一緒にして収納保管したが、この保管庫５１は筐体５４が幅広に構成され、引出トレイ５５の内部を仕切体５６によって第１及び第２の収容部５５ａ，５５ｂに仕切っている。
【００５５】
前記第１及び第２の収容部５５ａ，５５ｂの幅寸法は、上記レシート１７、店舗控え用伝票１４及びクレジット会社控え用伝票の幅寸法よりも広くされている。
【００５６】
この保管庫５１によれば、例えば、前記引出トレイ５５の第１の収納部５５ａにレシート１７、前記第２の収納部５５ｂに店舗控え用伝票１４及びクレジット会社控え用伝票を区分して収納することができ、その整理整頓が容易になるという利点がある。
【００５７】
また、前記引出トレイ５５の第１の収納部５５ａに店舗控え用伝票１４を収納し、前記第２の収納部５５ｂにクレジット会社控え用伝票を収納するようにしても良い。
【００５８】
（第２の実施の形態）
図１０は第２の実施の形態を示すもので、保管庫３が接続ケーブル１３を介して決済端末１００に接続されている。
【００５９】
なお、上記した第１の実施の形態で説明した部分と同一部分については同一番号を付して詳細な説明は省略する。
【００６０】
決済端末１００は、決済する金額を入力する入力部（例えばテンキー）１０３と、カード情報を読み取るカードリーダ１０１と、このカードリーダ１０１の読取情報に基づいて決済処理する決済処理部１０２を備えている。前記決済端末１００には、前記決済処理部１０２で決済された決済データを印刷するプリンタ２が接続されている。
【００６１】
そして、決済する金額を入力する入力部１０３により決済する金額が入力され、つづいてカードリーダ１０１にてカード情報が読み込まれる。すると、読み込んだカード情報に基づいて決済処理部１０２にて外部サーバと通信を行い、決済処理を行い、プリンタ２にて客控え用伝票、店舗控え用伝票、クレジット会社控え用伝票を印字する。
【００６２】
保管庫３の開放手段１２は、前記決済処理部１０２の決済処理に基づいて前記プリンタ２から客控え用伝票などが印字されたことを受け、前記保管庫３の引出トレイ５を開放する。
【００６３】
このように、前記引出トレイ５が開放されたのち、キャッシャは前記プリンタ２から排出されたクレジット会社控え用伝票と店舗控え用伝票を引出トレイ５内に収納したのち、前記引出トレイ５を筐体４内に押し込んで閉じて施錠する。
【００６４】
この第２の実施の形態によっても、上記した第１の実施の形態と同様の作用効果を奏する。
【００６５】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１…ＰＯＳ端末（商品データ処理部）、２…プリンタ（印刷部）、３，５１…保管庫（伝票収納部）、４…筐体、５…引出トレイ（引出部）、１２…ソレノイド（開放手段）、１４…店舗控え用レシート（クレジット伝票）、１７…客用レシート（伝票）４１…キーボード（操作部）、４５…開放手段、４６…ドラワ（現金収納部）、５５ａ，５５ｂ…第１及び第２の収容部、１００…決済端末、１０１…カードリーダ、１０２…決済処理部、１０３…入力部。
【図１】
2012048495.tif 000003
【図２】
2012048495.tif 000004
【図３】
2012048495.tif 000005
【図４】
2012048495.tif 000006
【図５】
2012048495.tif 000007
【図６】
2012048495.tif 000008
【図７】
2012048495.tif 000009
【図８】
2012048495.tif 000010
【図９】
2012048495.tif 000011
【図１０】
2012048495.tif 000012